(57)【要約】【課題】軸と軸受を用いた各種装置における分解や再組み立てを装置の状況に応じて容易に行うことができる軸構造を提供する。【解決手段】一部材５を貫通する状態に取り付けられて該一部材５より着脱可能な軸受１１と、該軸受１１に対して他部材６の外側から挿通可能であり他部材６を軸支する軸２０と、を備え、軸２０を他部材６の外側から軸受１１より引き抜くことができ、かつ軸受１１を軸２０が挿通している状態のままで、一部材５の内側から取り外して引き抜くことができる。【選択図】図１
2014028539.tif 000002
【特許請求の範囲】
【請求項１】
各種装置における一部材に対し、その外側に沿って他部材を支持するための軸構造において、
前記一部材を貫通する状態に取り付けられて該一部材より着脱可能な軸受と、該軸受に対して前記他部材の外側から挿通可能であり前記他部材を軸支する軸と、を備え、
前記他部材には、前記軸の頭部が回転可能に嵌合する軸支孔が設けられ、前記軸の頭部は、前記軸支孔を通り抜け可能で前記軸受を通り抜け不能な大きさに設けられ、前記軸の脚部は、前記頭部が前記軸支孔に嵌合している軸支状態にて、先端側が前記軸受より前記一部材の内側に突出する長さに設けられ、該先端側には、前記軸が前記軸受より抜け出ることを防止する止着手段が設けられ、該止着手段は、前記軸の脚部の先端側より着脱可能であり、
前記止着手段を前記軸の脚部の先端側より取り外した際に、前記他部材の外側から前記軸を前記軸受より引き抜くことが可能であり、かつ前記軸受を前記軸が挿通している状態のまま、該軸と一緒に前記一部材の内側から取り外して引き抜くことが可能に構成されたことを特徴とする軸構造。
【請求項２】
前記軸受の外周に外嵌させた状態で、前記一部材と前記他部材の間に介在させる間座を備え、
前記間座は、前記軸支状態で前記他部材に対する前記一部材の前記軸の軸方向における相対的な位置ずれを防止する長さに設けられたことを特徴とする請求項１に記載の軸構造。
【請求項３】
前記間座は、樹脂で形成されていることを特徴とする請求項２に記載の軸構造。
【請求項４】
前記止着手段は、前記軸の脚部の先端側に軸心と交差するように貫通形成したピン孔に着脱可能に挿通して取り付けるピンからなることを特徴とする請求項１，２または３に記載の軸構造。
【請求項５】
前記軸受は、その一端側に前記一部材に貫通形成した取付孔の周囲に沿うフランジを有し、該フランジを前記一部材の内側に配置させてネジ止めすることにより、該一部材の内側より着脱可能としたことを特徴とする請求項１，２，３または４に記載の軸構造。
【発明の詳細な説明】
【技術分野】
【０００１】
本発明は、各種装置における一部材に対し、その外側に沿って他部材を支持するための軸構造に関し、例えば各種座席のフレーム構造間の連結等に利用されるものである。
【背景技術】
【０００２】
従来より、鉄道車両等に装備される乗物用の座席には、快適な座り心地を提供するためにリクライニング機構を備えたものがある。このような座席では、着座者が背凭れを後方に押すことにより、回転軸に保持されていた背凭れを後方へリクライニング可能としたものが一般的である。さらに、例えば特許文献１に開示されたように、背凭れのリクライニングに連動して座部も移動する座席も知られている。
【０００３】
このような特許文献１に記載の座席を含めて、リクライニング機構を備えた座席では、フレーム構造を構成する各パーツ間を互いに回動可能に連結支持するために、軸と軸受が多用されていた（例えば特許文献１の図２〜図４参照）。また、一般に座席のフレーム構造の両脇には、肘掛や袖体と称される外装部品が沿うように固設されていた。よって、前記フレーム構造の座席外側を向く前述の軸と軸受は何れも外装部品に覆われていた。一方、前記フレーム構造の座席内側にも向く前述の軸と軸受は座部で覆われていた。
【先行技術文献】
【特許文献】
【０００４】
【特許文献１】特開平８−２１４９７７号公報
【発明の概要】
【発明が解決しようとする課題】
【０００５】
前述したような従来の座席のフレーム構造等を構成する軸と軸受は、何れも構造上その軸方向の一方側からのみ組み付けないし取り外しが可能なものである。よって、座席の組み立て時には、作業スペースを多く確保できる座席外側から軸と軸受を用いた組み付け作業が行われていた。そのため、後から座部や背凭れを分解する必要が生じた場合には、前述の軸と軸受の取り外し作業も必ず座席外側から行う必要があった。
【０００６】
しかしながら、座席外側には既に外装部品が固設されているため、座席の保守点検や改修等で分解する必要が生じた場合には、先ずは外装部品から取り外す作業が前提となる。従って、座席の分解や再組み立てに要する作業工数が膨大となり、作業が煩わしく時間がかかり、コストが嵩むという問題があった。
【０００７】
このように、座席を分解する場合には、座席外側から作業を行うことは大変であるが、座席内側からならば、前述の軸と軸受まで比較的容易にアクセスすることができる。すなわち、仮に座席内側から作業を行うとすると、前述の外装部品を取り外す必要はなく、単に面ファスナ等でフレーム上に止着されている座部を持ち上げるように剥がせば済む。
ところが、前述したように軸と軸受は、その軸方向の一方側である座席外側からだけしか組み付けないし取り外しができないという構造上の問題があった。
【０００８】
本発明は、以上のような従来の技術の有する問題点に着目してなされたものであり、少なくとも軸に関して、その軸方向における両側から組み付けないし取り外しを可能とすることにより、軸と軸受を用いた各種装置における分解や再組み立てを装置の状況に応じて容易に行うことができる軸構造を提供することを目的としている。
【課題を解決するための手段】
【０００９】
前述した目的を達成するための本発明の要旨とするところは、以下の各項の発明に存する。  
［１］各種装置における一部材（５）に対し、その外側に沿って他部材（６）を支持するための軸構造（１０）において、
前記一部材（５）を貫通する状態に取り付けられて該一部材（５）より着脱可能な軸受（１１）と、該軸受（１１）に対して前記他部材（６）の外側から挿通可能であり前記他部材（６）を軸支する軸（２０）と、を備え、
前記他部材（６）には、前記軸（２０）の頭部（２１）が回転可能に嵌合する軸支孔（６ａ）が設けられ、前記軸（２０）の頭部（２１）は、前記軸支孔（６ａ）を通り抜け可能で前記軸受（１１）を通り抜け不能な大きさに設けられ、前記軸（２０）の脚部（２２）は、前記頭部（２１）が前記軸支孔（６ａ）に嵌合している軸支状態にて、先端側が前記軸受（１１）より前記一部材（５）の内側に突出する長さに設けられ、該先端側には、前記軸（２０）が前記軸受（１１）より抜け出ることを防止する止着手段が設けられ、該止着手段は、前記軸（２０）の脚部（２２）の先端側より着脱可能であり、
前記止着手段を前記軸（２０）の脚部（２２）の先端側より取り外した際に、前記他部材（６）の外側から前記軸（２０）を前記軸受（１１）より引き抜くことが可能であり、かつ前記軸受（１１）を前記軸（２０）が挿通している状態のまま、該軸（２０）と一緒に前記一部材（５）の内側から取り外して引き抜くことが可能に構成されたことを特徴とする軸構造（１０）。
【００１０】
［２］前記軸受（１１）の外周に外嵌させた状態で、前記一部材（５）と前記他部材（６）の間に介在させる間座（３０）を備え、
前記間座（３０）は、前記軸支状態で前記他部材（６）に対する前記一部材（５）の前記軸（２０）の軸方向における相対的な位置ずれを防止する長さに設けられたことを特徴とする［１］に記載の軸構造（１０）。
【００１１】
［３］前記間座（３０）は、樹脂で形成されていることを特徴とする［２］に記載の軸構造（１０）。
【００１２】
［４］前記止着手段は、前記軸（２０）の脚部（２２）の先端側に軸心と交差するように貫通形成したピン孔（２３）に着脱可能に挿通して取り付けるピン（２４）からなることを特徴とする［１］，［２］または［３］に記載の軸構造（１０）。
【００１３】
［５］前記軸受（１１）は、その一端側に前記一部材（５）に貫通形成した取付孔（５ａ）の周囲に沿うフランジ（１２）を有し、該フランジ（１２）を前記一部材（５）の内側に配置させてネジ止めすることにより、該一部材（５）の内側より着脱可能としたことを特徴とする［１］，［２］，［３］または［４］に記載の軸構造（１０）。
【００１４】
次に、前述した解決手段に基づく作用を説明する。  
前記［１］に記載の軸構造（１０）によれば、各種装置における一部材（５）に対し、その外側に沿って他部材（６）を支持するには、先ず一部材（５）に貫通する状態で軸受（１１）を取り付ける。ここで軸受（１１）は、一部材（５）から着脱することができる。次に軸受（１１）に対して、他部材（６）の外側から軸（２０）を挿通して、この軸（２０）により他部材（６）を軸支すれば良い。これにより、軸構造（１０）を介して他部材（６）は一部材（５）に回動可能に取り付けられる。
【００１５】
他部材（６）には、軸（２０）の頭部（２１）が回転可能に嵌合する軸支孔（６ａ）が設けられており、ここで軸（２０）の頭部（２１）は、軸支孔（６ａ）を通り抜け可能で軸受（１１）を通り抜け不能な大きさに設けられている。よって、軸（２０）は、一部材（５）の外側に位置する他部材（６）の外側から軸受（１１）に対して容易に抜き差しすることができる。その一方で、軸（２０）が一部材（５）の内側に向かって抜け出てしまう虞はない。
【００１６】
軸（２０）の脚部（２２）は、頭部（２１）が前記軸支孔（６ａ）に嵌合している軸支状態では、先端側が軸受（１１）より一部材（５）の内側に突出している。この軸（２０）の脚部（２２）の先端側に止着手段が設けられており、止着手段によって、軸（２０）が他部材（６）の外側に向かって軸受（１１）より抜け出ることを防止する。ここで止着手段は、軸（２０）の脚部（２２）の先端側より着脱可能であるから、止着手段を軸（２０）の脚部（２２）の先端側から取り外せば、軸（２０）を他部材（６）の外側から軸受（１１）より引き抜くことができる。
【００１７】
このように、一部材（５）の内側で止着手段を取り外すことが前提となるが、他部材（６）の外側において軸（２０）を軸受（１１）より引き抜くことができる。その一方、軸受（１１）自体は一部材（５）に対して着脱可能であり、一部材（５）の内側において軸受（１１）を一部材（５）から取り外す際に、軸受（１１）に軸（２０）が挿通している状態のまま、該軸（２０）と一緒に軸受（１１）を一部材（５）の内側から引き抜くこともできる。ここで軸（２０）の頭部（２１）は、他部材（６）にある軸支孔（６ａ）を通り抜け可能な大きさであるため、軸（２０）の頭部（２１）が軸支孔（６ａ）から抜けない虞はない。なお、軸支孔（６ａ）は円形の孔に限らず長溝状の孔であっても良い。
【００１８】
前記［２］に記載の軸構造（１０）によれば、間座（３０）を備えており、軸受（１１）の外周に外嵌させた状態で一部材（５）と他部材（６）の間に介在させる。この間座（３０）によって、前記軸支状態で他部材（６）に対する一部材（５）の軸（２０）の軸方向における相対的な位置ずれを防止することができる。
【００１９】
前記［３］に記載の軸構造（１０）によれば、間座（３０）は樹脂で形成されている。従って、金属同士が擦れ合うような異音の発生を防ぐことができ、重量増加を招くこともない。また、摩擦抵抗の少ない樹脂素材を使用することにより、ベアリングとしての機能も付加することができる。
【００２０】
前記［４］に記載の軸構造（１０）によれば、止着手段は、軸（２０）の脚部（２２）の先端側に軸心と交差するように貫通形成したピン孔（２３）に着脱可能に挿通して取り付けるピン（２４）とする。このように、止着手段を汎用かつ安価な構成とすることでコスト低減が可能となり、また、軸受（１１）に対する軸（２０）の抜け止めを容易かつ確実に行うことができる。
【００２１】
前記［５］に記載の軸構造（１０）によれば、軸受（１１）は、その一端側に一部材（５）に貫通形成した取付孔（５ａ）の周囲に沿うフランジ（１２）を有する。このフランジ（１２）を一部材（５）の内側に配置させてネジ止めすることにより、該一部材（５）の内側より着脱可能とする。これにより、軸受（１１）を汎用かつ安価な構成でもって、一部材（５）に対して容易に着脱することができる。
【発明の効果】
【００２２】
本発明に係る軸構造によれば、各種装置における一部材に対し、その外側に沿って他部材を軸と軸受を介して支持した場合において、少なくとも軸に関しては、その軸方向における両側から組み付けないし取り外しを可能とすることにより、軸と軸受を用いた各種装置における分解や再組み立てを装置の状況に応じて容易に行うことができる。  
よって、各種装置の保守点検や改修等で分解する必要が生じた場合でも、従来の軸構造に比べて大幅な作業工数の削減が可能となる。
【図面の簡単な説明】
【００２３】
【図１】本発明の実施の形態に係る軸構造を示す正面図である。
【図２】本発明の実施の形態に係る軸構造を示す斜視図である。
【図３】本発明の実施の形態に係る軸構造において他部材の外側から軸を抜き出す状態を説明する正面図である。
【図４】本発明の実施の形態に係る軸構造において一部材の内側から軸受を軸と一緒に抜き出す状態を説明する正面図である。
【図５】本発明の実施の形態に係る軸構造を適用した座席のフレーム構造を示す側面図である。
【図６】本発明の実施の形態に係る軸構造を適用した座席のフレーム構造を示す平面図である。
【図７】本発明の実施の形態に係る軸構造を適用した座席を示す斜視図である。
【発明を実施するための形態】
【００２４】
以下、図面に基づき本発明を代表する実施の形態を説明する。  
図１に示すように、軸構造１０は、各種装置における一部材に対し、その外側に沿って他部材を支持するためのものである。以下、本実施の形態では、各種装置の一例として、航空機あるいは鉄道車両等の客室内に設置される乗物用の座席に適用した例で説明する。
【００２５】
図７に示すように、本実施の形態に係る座席１は、背凭れ２の傾動に連動して座部３も移動するリクライニング機能を備え、そのフレーム構造４を構成する各パーツ間を互いに回動可能に連結支持するために軸構造１０を用いている。フレーム構造４は、据付位置に固定された固定側フレームに対して、背凭れ２や座部３を所定の可動範囲内で例えば揺りかごの揺動のごとくリクライニングさせる可動側フレームを支持してなる。また、フレーム構造４の両脇には、袖体と称される大型の肘掛７が沿うように固設されている。
【００２６】
図５，図６に示すように、前記フレーム構造４のうち、可動側フレームの一部をなす一部材５に対して、その外側に沿って固定側フレームの一部をなす他部材６を、軸構造１０を介して回動可能に支持する。ここで一部材５は座席１の内側に位置し、他部材６は座席１の外側に位置する。また、図示省略したが、座席１の内側を向く一部材５の側面付近には、フレーム構造４内の空隙によりスペース的な余裕があり、座席１の外側を向く他部材６の側面は前記肘掛７で覆われる。
【００２７】
軸構造１０は、一部材５を貫通する状態に取り付けられて該一部材５より着脱可能な軸受１１と、該軸受１１に対して他部材６の外側から挿通可能であり他部材６を軸支する軸２０と、を備える。ここで他部材６の外側とは、座席１の外側を向く他部材６の側面の側からという意味である。また、後述する一部材５の内側とは、座席１の内側を向く一部材５の側面からという意味である。なお、図５，図６に示す一部材５と他部材６は、図７に示すフレーム構造４とは設計変更の範囲内で多少形状が異なる。また、他部材６に対して、その内側に沿って一部材５を支持するようにして、逆の態様で捉えてもかまわない。
【００２８】
図２に示すように、軸２０は、一端に円板状のフランジ２１ａが形成され、その中心より棒状の脚部２２が一体に延びるものである。脚部２２の基端側には、頭部２１に沿うように筒状のベアリング２２ｂが挿通しており、これらが組み合わされて軸２０の頭部２１をなしている。なお、フランジ２１ａとベアリング２２ｂを、それぞれ予め一体に形成して頭部２１としてもかまわない。このような頭部２１の外径は、後述する他部材６にある軸支孔６ａを通り抜け可能であり、かつ軸受１１を通り抜け不能な大きさとなっている。
【００２９】
軸２０の脚部２２は、前記頭部２１が他部材６の軸支孔６ａに嵌合する軸支状態にて、先端側が後述する軸受１１より一部材５の内側に突出する長さに設けられている。脚部２２の先端側には、軸２０が軸受１１より抜け出ることを防止する止着手段が設けられている。ここで止着手段は、脚部２２の先端側に軸心と直交（交差）するように貫通形成したピン孔２３（図３参照）に着脱可能に挿通して取り付けるピン２４からなる。
【００３０】
ピン２４は、具体的には例えば、略β字形状にバネ線材を折り曲げたβピンが適する。βピンの構成は一般的であるので詳細な説明は省略するが、脚部２２の先端側より着脱可能となっており、取り付けた状態では、軸２０が軸受１１より抜け出ることを防止し、取り外した状態では、軸２０を軸受１１より引き抜くことが可能となる。なお、ピン２４を取り付けるには、β字形状の輪状の部分を持ち直線状の部分を脚部２２のピン孔２３に挿通すれば、β字形状の波状の部分が脚部２２の外周によって押し拡げられて弾発的に保持される。一方、ピン２４を取り外すには、輪状の部分を掴んで引き抜けば良い。
【００３１】
軸受１１は、前記軸２０の脚部２２が挿通する筒状の本体の一端側にフランジ１２を有する。フランジ１２は、軸心と直交する両側方向に延びる形状であり（図１参照）、一対のネジ孔１３，１３(図示なし)が設けられている。また、フランジ１２において本体側と反対側の面には、前記脚部２２の先端側を外部に導くボス１４（図３参照）が突設されている。軸受１１は、そのフランジ１２を後述する一部材５の内側に配置させてネジ止めすることにより、該一部材５の内側より着脱可能に取り付けられる。なお、ネジ孔１３は円孔であり、ネジを挿通させて一部材５に止着するが、ネジではなく図示したボルト１５とナット１６で止着してもかまわない。
【００３２】
また、軸受１１の本体外周には、一部材５と他部材６の間に介在させる間座３０が外嵌している。間座３０は、その全長に亘り同一外径および内径の円筒コロからなり、前記軸支状態にて他部材６に対する一部材５の軸２０の軸方向における相対的な位置ずれを防止する長さに設けられている。このような間座３０は、樹脂で形成されている。ここで樹脂としては、具体的には例えば、ポリエチレンやＡＢＳ樹脂等を利用することで、間座３０は、金型により容易に一体成形することが可能である。
【００３３】
一部材５は、前述したように座席１を支持するフレーム構造４のうち、可動側フレームの一部をなすものであり、より具体的には、座部３を載置するボトムフレームの両側部をなすパーツである。かかる一部材５は角パイプ状の部材であり、その左右の側面間に前記軸受１１を挿通させる取付孔５ａが貫通形成されている。取付孔５ａは、前記軸受１１の本体を貫通させるものであり、かつ前記フランジ１２は通り抜け不能な内径に設定されている。
【００３４】
ここで軸受１１は、その一端側にあるフランジ１２を一部材５の内側に配置させてネジ止めすることにより、該一部材５の内側より着脱可能となっている。また、軸受１１の本体の外径よりも、前記軸２０の頭部２１の外径は若干小さく設定されており、軸２０全体が取付孔５ａを通り抜け可能となっている。さらに、間座３０の外径は、取付孔５ａの内径よりも大きく、間座３０は取付孔５ａを通り抜け不能となっている。なお、フランジ１２と一部材５の側面との間には、軸受１１の本体を挿通させる座金１８のほか、一対のボルト１５，１５をそれぞれ挿通させる一対の座金１７，１７が配されている。
【００３５】
他部材６は、前述したように座席１を支持するフレーム構造４のうち、固定側フレームの一部をなすものであり、より具体的には、座部３を載置する前記ボトムフレームや背凭れ２を所定の可動範囲内で変位可能に支持するパーツである。かかる他部材６は、図示した形状の板材を立設したものであり、全部で３箇所に前記軸２０の頭部２１が回転可能に嵌合する軸支孔６ａが貫通形成されている。ここで軸支孔６ａは、同一幅で直線状に延び両端が半円形に形成された長溝状の孔である。軸支孔６ａを長溝状としたことにより、軸２０の頭部２１は軸支孔６ａに対して相対的に移動可能に嵌合し、前述したリクライニング機構の動きを実現する。
【００３６】
軸支孔６ａの内径（溝幅）は、軸２０の頭部２１の外径よりも若干大きく、軸支孔６ａに対して軸２０全体が通り抜け可能に設定されている。これにより、軸２０は、他部材６の外側からだけでなく、前述した軸受１１と一緒に一部材５の内側からも引き抜くことが可能となる。なお、軸支孔６ａは単に軸２０の頭部２１を枢支する構造で足りるのであれば、前述したように長溝状とする必要は無く、頭部２１が回転可能に嵌合し得る円形の孔で足りる。
【００３７】
次に、本実施の形態に係る軸構造１０の作用について説明する。  
座席１の組み立て時において、フレーム構造４を構成する一部材５に対し、その外側に沿って他部材６を支持するには、先ず一部材５に貫通する状態で軸受１１を取り付ける。すなわち、軸受１１の本体を一部材５の内側（図１中で紙面右側）から取付孔５ａに挿入して、フランジ１２を一部材５の内側に配置させてボルト１５とナット１６で止着する。この時、一部材５と他部材６の間に間座３０を介在させておき、取付孔５ａより外側に向かって突出する軸受１１の本体を間座３０にも挿通させる。
【００３８】
続いて軸受１１の本体内側に向けて、今度は他部材６の外側（図１中で紙面左側）から軸２０の脚部２２を挿通させる。ここで軸２０を、他部材６にある軸支孔６ａから挿通させるが、軸２０の頭部２１は、軸支孔６ａを通り抜け可能で軸受１１を通り抜け不能な大きさであるため、頭部２１はちょうど軸支孔６ａに嵌合した状態に留まる。これにより、軸構造１０を介して他部材６は一部材５に回動可能に取り付けられる。軸２０は、他部材６の外側からは軸受１１に対して容易に抜き差しすることができる。その一方で、軸２０が一部材５の内側に向かって抜け出てしまう虞はない。
【００３９】
図１に示すように、軸２０の頭部２１が他部材６の軸支孔６ａに嵌合している軸支状態では、軸２０の脚部２２の先端側が軸受１１より一部材５の内側に突出している。ここで止着手段を構成するピン２４を、脚部２２の先端側にあるピン孔２３に挿通させれば、軸２０が他部材６の外側に向かって軸受１１より抜け出ることを防止することができる。一方、ピン２４を取り外せば、軸２０を他部材６の外側から軸受１１より引き抜くことができる。
【００４０】
このような座席１のフレーム構造４に関する一連の組み立て作業は、未だ肘掛７等の外装部品を固設する前の段階で行われるため、作業スペースには余裕がある。ところが、肘掛７等の外装部品も固設されて座席１が完成した後に、例えば保守点検や改修等で座席１を分解する必要が生じた場合には、軸２０を他部材６の外側から軸受１１より引き抜くとなれば、ピン２４を取り外すほか、肘掛７等の外装部品も取り外さなくてはならない。そのため、座席１の分解や再組み立てに要する作業工数が膨大となる。
【００４１】
そこで、本軸構造１０によれば、肘掛７等の外装部品を取り外すことなく、比較的容易にアクセスできる一部材５の内側から分解を行うことができる。この場合は先ず、フレーム構造４のボトムフレーム上に載置されている座部３を持ち上げれば良い。座部３はボトムフレーム上に面ファスナ等で簡単に止着されているため、座部３を持ち上げるようにして簡単に剥がすことができる。ここで一部材５の内側には、前述したようにフレーム構造４内の空隙によりスペース的な余裕があるため、充分な作業スペースも確保することができる。
【００４２】
後は、前述したように軸受１１自体は一部材５に対して着脱可能であるため、軸受１１に軸２０が挿通している状態のまま、該軸２０と一緒に軸受１１を一部材５の内側から取り外すことができる。すなわち、ボルト１５を外すだけで、軸受１１を軸２０ごと容易に引き抜くことができる。ここで軸２０の頭部２１は、他部材６にある軸支孔６ａを通り抜け可能な大きさであるため、軸２０の頭部２１が軸支孔６ａから抜けない虞はない。なお、一部材５の内側において、より充分な作業スペースも確保すべく、例えばボトムフレームに設けるＳバネ等を座席１の取付箇所をなるべく回避するように配置しても良い。
【００４３】
また、本軸構造１０によれば、間座３０を備えており、軸受１１の外周に外嵌させた状態で一部材５と他部材６の間に介在させる。この間座３０によって、前記軸支状態で他部材６に対する一部材５の軸２０の軸方向における相対的な位置ずれを防止することができる。特に、間座３０を樹脂で形成することにより、金属同士が擦れ合うような異音の発生を防ぐことができ、重量増加を招くこともない。また、摩擦抵抗の少ない樹脂素材を使用することにより、ベアリングとしての機能も付加することができる。
【００４４】
その他、前記止着手段を、軸２０の脚部２２の先端側に軸心と交差するように貫通形成したピン孔２３に着脱可能に挿通して取り付けるピン２４としたから、止着手段を汎用かつ安価な構成とすることでコスト低減が可能となり、また、軸受１１に対する軸２０の抜け止めを容易かつ確実に行うことができる。さらに、軸受１１は、そのフランジ１２を一部材５の内側に配置させてネジ止めすることにより、該一部材５の内側より着脱可能としたから、汎用かつ安価な構成でもって一部材５に対して容易に着脱することができる。
【００４５】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、図５，図６において、紙面の右側に示した軸構造１０は、軸受１１のフランジ１２の形状が前述したものとは異なり、また間座３０が設けられていない。さらに、軸構造１０を座席に適用したものを示したが、一方の部材に他方の部材を回転可能に支持するものであれば、座席に限らず様々な装置における連結手段として活用することができる。
【産業上の利用可能性】
【００４６】
本発明は、特に航空機、自動車、鉄道、船舶等の客室内に設置される乗物用の座席に広く利用することができる。
【符号の説明】
【００４７】
１…座席
２…背凭れ
３…座部
４…フレーム構造
５…一部材
５ａ…取付孔
６…他部材
６ａ…軸支孔
７…肘掛
１０…軸構造
１１…軸受
１２…フランジ
１３…ネジ孔
１４…ボス
１５…ボルト
１６…ナット
１７…座金
２０…軸
２１…頭部
２１ａ…フランジ
２２…脚部
２３…ピン孔
２４…ピン
３０…間座
【図１】
2014028539.tif 000003
【図２】
2014028539.tif 000004
【図３】
2014028539.tif 000005
【図４】
2014028539.tif 000006
【図５】
2014028539.tif 000007
【図６】
2014028539.tif 000008
【図７】
2014028539.tif 000009